(57)【特許請求の範囲】
【請求項１】
昇穀螺旋（１）の外周に回転選別筒（２）を設けて、昇穀粒をこの選別筒（２）の外周に漏出選別する穀粒選別機の取出選別装置において、選別筒（２）外周部に選別粒を受ける受樋（２０）と、その受樋（２０）の一部に排出口（２５）とを設け、選別筒（２）と一体回転する掻出羽根（２２）により受樋（２０）内の選別粒を排出口（２５）から掻出すよう構成し、この排出口（２５）下方には掻出される選別粒を受けて流下しながら選別する選別棚（６）を設け、前記回転する掻出羽根（２２）を選別棚（６）の一部へ当接係合させて選別棚（６）を揺動させることを特徴とする穀粒選別機の取出選別装置。
【請求項２】
選別棚（６）下側を水平方向の支軸（３９）周りに回動自在に支持し、該選別棚（６）上端部（４０）を水平状に屈曲して排出口（２５）にのぞませ、該上端部（４０）から受樋（２０）側へ向け突出する係合部（４２）を形成するとともに、上端部（４０）を受樋（２０）下面に当接させるよう弾発係止し、回転する掻出羽根（２２）を係合部（４２）に当接させ、前記弾発力に抗して選別棚（６）を押し下げ揺動させることを特徴とする請求項１に記載の穀粒選別機の取出選別装置。
【発明の詳細な説明】
【技術分野】
【０００１】
この発明は、穀粒選別機で選別されて取出される選別粒を、この取出途中で簡単な構成で効率良く再選別する取出選別装置に関する。
【背景技術】
【０００２】
昇穀螺旋に沿って上側の中米選別筒と下側の小米選別筒を連設して、玄米等の穀粒を大粒径の大米と、中径粒の中米、小粒径の小米、乃至屑米、糠等に選別する技術や、このうち中米選別筒で選別された中米を受けて取出す中米シュータに、除糠網を設ける技術（例えば、特許文献１参照）が知られている。
【特許文献１】特開２００２−１２６６４７号公報
【発明の開示】
【発明が解決しようとする課題】
【０００３】
玄米を粒径の大小により大米、中米、小米、及び屑米、糠等に多分別に選別することが多く、このような選別形態では、各選別米の取出、袋詰位置が多くなって、各配置構成、作業スペース等が狭く制限され易い。
【課題を解決するための手段】
【０００４】
請求項１に記載の発明は、昇穀螺旋１の外周に回転選別筒２を設けて、昇穀粒をこの選別筒２の外周に漏出選別する穀粒選別機の取出選別装置において、選別筒２外周部に選別粒を受ける受樋２０と、その受樋２０の一部に排出口２５とを設け、選別筒２と一体回転する掻出羽根２２により受樋２０内の選別粒を排出口２５から掻出すよう構成し、この排出口２５下方には掻出される選別粒を受けて流下しながら選別する選別棚６を設け、前記回転する掻出羽根２２を選別棚６の一部へ当接係合させて選別棚６を揺動させることを特徴とする穀粒選別機の取出選別装置の構成とする。昇穀螺旋１の回転によって回転選別筒２内を昇穀される穀粒は、一部この選別筒２の外周へ漏出選別される。この選別粒は、選別筒２の外側に一体回転する掻出羽根２２によって掻出されて、選別棚６上に取出されて、流下され選別される。この回転する掻出羽根２２を選別棚６の一部へ当接係合して選別棚６を揺動させ、選別粒の選別効果を高く維持して、この選別粒中に混入する屑米や、糠類等を選別棚６から漏下選別する。
【０００５】
請求項２に記載の発明は、選別棚６下側を水平方向の支軸３９周りに回動自在に支持し、該選別棚６上端部４０を水平状に屈曲して排出口２５にのぞませ、該上端部４０から受樋２０側へ向け突出する係合部４２を形成するとともに、上端部４０を受樋２０下面に当接させるよう弾発係止し、回転する掻出羽根２２を係合部４２に当接させ、前記弾発力に抗して選別棚６を押し下げ揺動させることを特徴とする。選別棚６はその上端部４０が受樋２０下面に当接するよう弾発係止されており、選別筒２外周の掻出羽根２２の回転係合によって、前記弾発力に抗して選別棚６を押し下げ揺動させて、前記選別粒の取出を受けて流下させながら、屑米や糠類等をこの選別棚６から漏下選別する。
【０００６】
【発明の効果】
【０００７】
請求項１に記載の発明は、選別筒２の外周に漏出選別される選別粒の掻出羽根２２による掻出を受けて、選別棚６上を流下させながら屑米や糠類等を選別するものであるが、選別筒２外周の掻出羽根２２を選別棚６の一部へ当接係合させて選別棚６を揺動させるので、特別の揺動連動機構を設けることなく、掻出羽根２２を利用して連動構成を簡素化できるとともに、選別棚６の穀粒の取出流下行程を短くして、小形、簡単な選別棚６形態として、能率、乃至効率的な選別を行うことができる。
【０００８】
請求項２に記載の発明は、上端部４０を受樋２０下面に当接させるよう弾発係止した選別棚６を、回転する掻出羽根２２が係合部４２に当接することで、前記弾発力に抗して選別棚６を押し下げ揺動させるものであるから、この揺動連動構成を簡単、容易化することができ、掻出羽根２２の選別棚６への係合作用により押し下げられた選別棚６は、この押し下げ圧解放により弾発力で復帰揺動して、衝撃揺動、乃至衝撃振動により、選別棚６面の目詰りを少なくして選別能率、乃至効率を高く維持することができる。
【０００９】
【発明を実施するための最良の形態】
【００１０】
図例に基づいて、選別機は、機台８上に昇穀螺旋１軸９を上方向に向けて軸装し、この螺旋軸９の下端部をモータ１０によりベルト１１連動して回転駆動する。この昇穀螺旋１の外周部に沿った円筒状形成の小米選別筒３と、中米選別筒２を上下に接合して設け、これら小米選別筒３と中米選別筒２は、前記螺旋軸９下端部を軸受けする伝動ケース１２内の伝動機構を介して、この昇穀螺旋１とは逆方向へ回転するように構成している。昇穀螺旋１は適宜径の円筒１３の外周面に比較的緩い螺曲ピッチに形成し、この外周の選別筒２，３の内周面との間に玄米を受けて上方へ搬送することができる。各選別筒２，３は波形状凹凸状を形成した波形板を、この凹凸状の長さ方向に屈曲して円筒形状に形成したもので、この選別筒２，３の内周側凹状底面部に沿って回転凹状方向に沿って長くして選別孔を形成したもので、この選別孔の孔幅サイズによって選別粒径が決まる。下側の小米選別筒３の選別孔幅に対して、上側の中米選別筒２の選別孔幅を大きく形成して、各々所定粒径の小米、及び中米を選別することができるように構成している。
【００１１】
前記各選別筒２，３の外周部には、この選別孔から漏下する小米、中米等を受ける小米排出室５、中米排出室４を形成し、外周部をカバー筒１４で覆っている。この小米排出室５の背部側には、選別しようとする玄米等の穀粒を供給する供給ホッパー１５を設け、正面側に上昇選別された大米の取出を受けて袋詰供給するための取出ホッパー１６を設け、この下端の排出口１７には開閉シャッター１８を設ける。
【００１２】
ここにおいて、この穀粒選別機の小米取出装置は、昇穀螺旋１の外周に回転選別筒２を設けて、昇穀粒をこの選別筒２の外周に漏出選別する穀粒選別機の取出選別装置において、選別筒２外周部に選別粒を受ける受樋２０と、その受樋２０の一部に排出口２５とを設け、選別筒２と一体回転する掻出羽根２２により受樋２０内の選別粒を排出口２５から掻出すよう構成し、この排出口２５下方には掻出される選別粒を受けて流下しながら選別する選別棚６を設け、前記回転する掻出羽根２２を選別棚６の一部へ当接係合させて選別棚６を揺動させることを特徴とする穀粒選別機の構成とする。昇穀螺旋１の回転によって回転選別筒２内を昇穀される穀粒は、一部この選別筒２の外周へ漏出選別される。この選別粒は選別棚６上面を流下しながら取出されるが、この選別棚６は選別筒２の回転によって連動して揺動されて、選別粒の選別効果を高く維持して、この選別粒中に混入する屑米や、糠類等を選別棚６から漏下選別する。
【００１３】
又、選別棚６下側を水平方向の支軸３９周りに回動自在に支持し、該選別棚６上端部４０を水平状に屈曲して排出口２５にのぞませ、該上端部４０から受樋２０側へ向け突出する係合部４２を形成するとともに、上端部４０を受樋２０下面に当接させるよう弾発係止し、回転する掻出羽根２２を係合部４２に当接させ、前記弾発力に抗して選別棚６を押し下げ揺動させることを特徴とする。選別棚６はその上端部４０が受樋２０下面に当接するよう弾発係止されており、選別筒２外周の掻出羽根２２の回転係合によって、前記弾発力に抗して選別棚６を押し下げ揺動させて、前記選別粒の取出を受けて流下させながら、屑米や糠類等をこの選別棚６から漏下選別する。
【００１４】
【００１５】
前記下側の小米選別筒３外周の小米排出室５は、底下部に沿って受樋１９を形成して、この小米排出室５を落下する小米や、糠類等を受ける。又、この小米排出室５上部の中米排出室４の底部には受樋２０を設けて、この中米排出室４を落下する中米等を受ける。これらの小米受樋１９、及び中米受樋２０には、前記小米選別筒３外周に設けた掻出羽根２１、及び、中米選別筒４外周に設けた掻出羽根２２を各々嵌合のぞませて、回転させることにより、これら各受樋１９，２０内の選別粒を機外へ掻出すことができる。各受樋１９，２０の一部には小米排出口３０、中米排出口２５が設けられていて、これら小米排出口３０外側の小米排出シュータ２３や、中米排出口２５外側の選別棚６、及び中米排出シュータ２４へ向けて、各掻出羽根２１，２２の回転によって掻出すように構成している。
【００１６】
前記中米排出シュータ２４と、中米排出室４の中米排出口２５との間に構成する選別棚６は、選別フレーム２６にピアノ線２７を上下方向にして張設して一定間隔に並べた縦線形態として、上下一定角度に傾斜させたもので、この上面に中米を流下することにより、この中米に若干混入する小米や、屑米、糠類等を選別棚６下に漏下させて、中米のみを中米排出シュータ２４へ流下させて、この中米排出シュータ２４下にのぞむ中米袋に収容させる。この選別棚６の下側には小米シュータ７を設けて、下端部を前記小米排出室５にのぞませて、選別棚６から漏下した小米や、屑米、糠類等を、この小米排出室５の受樋１９上に流入させる。前記選別棚６は、中米排出シュータ２４上の棚枠２８に着脱可能に取付けている。又、この棚枠２８と下方の小米シュータ７との間の左右両側は側板２９で覆われて三角ケース形態構成している。
【００１７】
前記小米排出室５受樋１９の外周部に形成の小米排出口３０から、前記掻出羽根２１によって掻出される小米や、屑米、及び糠類等を受けて流下させながら、これら屑米や、糠等を漏下選別する除糠棚３１を有した小米排出シュータ２３を傾斜させて設ける。この除糠棚３１の下側には糠シュータ３２を設けている。前記上側の小米シュータ７は、この小米排出シュータ２３の上端部に直接のぞませる形成とすることもできる。
【００１８】
前記小米選別筒３の有効選別長さＡは、中米選別筒２の有効選別長さＢよりも長く形成して、各選別筒２，３の選別性を高く維持させるため、中米排出室４における小米や、糠類等の混入率は小さくなると共に、小さい選別棚６の構成であっても、効率的な選別作用を行わせることができる。
【００１９】
前記、各中米排出室４、小米排出室５底部の受樋１９，２０は、板金製又は合成樹脂製として断面Ｕ字形態に構成し、この受樋１９，２０の内周壁部３４を選別筒２，３の周面に接近させて嵌合させ、外周壁部３５を外周カバー１４、乃至機枠の形態に合わせて内側に嵌合させて取付ける。この受樋１９，２０の底部３６の幅を狭く形成している。この受樋１９，２０の外周壁部３５から底部３６にわたって切欠開放して中米排出口２５、小米排出口３０を形成している。これらの受樋１９，２０内にのぞむ掻出羽根２１，２２は、合成樹脂製として、選別筒２，３の下端部外周に取付けたブラケット３７にボルト３８締めによって取付けて、これら掻出羽根２１，２２の下端縁を底部３６に接近させて回転移動することによって、排出室４，５に落下した底部３６上の選別穀粒を掻き集めて、排出口２５，３０から外側へ排出させる。
【００２０】
前記選別棚６の棚枠２８は、先端下側を水平方向の支軸３９の周りに上下回動自在に支持し、この上端部４０を水平状に屈曲して、前記中米排出室４下部の受樋２０の中米排出口２５下部にのぞませる。この上端部４０上には前記受樋２０の底部３６に突出するボルト４１頭部を係合部４２として、適宜高さのカム形態に突出させる。このボルト４１の下部には、フレーム側ブラケット４３との間にスプリング３３を介装して、この選別棚６の上端部を上方へ弾発する。この上端部４０を前記中米排出口２５下にのぞませて、受樋２０の下面に当接させて弾発係止する。この状態で前記係合部４２は排出口２５から受樋２０底部３６に位置して、前記掻出羽根２２の回転により、この係合部４２をスプリング３３力に抗して押し下げて、選別棚６を支軸３９周りに上下に揺動させる。このとき、選別棚６はスプリング３３の弾発力によって上動復帰されて、上端部４０が受樋２０の底部３６等に当接されて衝撃振動されて、選別棚６の揺動や、振動によって、中米流下の途中での目詰り現象を少なくし、選別作用を円滑に行わせることができる。
【００２１】
次に、主として図９に基づいて、前記選別棚６のスプリング３３による弾発方向を掻出羽根２２の回転方向に対向する方向に付勢して、この選別棚６を上下方向と、左右方向とに複合的に揺動させて、選別効果をより高く維持するものである。前記選別フレーム２６の支軸３９周りの回動部を、この支軸３９に対して選別フレーム２６が左右方向へ揺動自在に遊合支持させる。前記棚枠２８に対して斜めに形成したブラケット４３と、選別フレーム２６上端部４０との間のスプリング３３を、前記掻出羽根２２の回転方向と対向する斜め方向Ａへ弾発させる。又、これら選別フレーム２６の左右両側面と、外側の棚枠２８との間に、間隙Ｂを形成して、前記掻出羽根２２の回転によって係合揺動される選別棚６を、支軸３９周りの上下方向と、左右方向とに揺動する。
【００２２】
又、主として図１０に基づいて、前記選別棚６の構成で、前記ピアノ線２７の上下端部を、選別フレーム２６の上下辺部４４，４５に対して、摺動自在、かつ回動自在に嵌合支持させることによって、各ピアノ線２７間における穀粒の目詰りを防止し、選別効果を高めるものである。選別フレーム２６の上、下辺部４４，４５は角チューブ材から構成されて、この上下対向する対向内辺部４６，４７には各ピアノ線２７の先端部を遊合嵌挿させる支持穴４８を形成している。各ピアノ線２７はこの支持穴４８に嵌合させて回動自在に支持され、かつ、このピアノ線２７の長さ方向に摺動自在に支持される。このピアノ線２７の両端部と上、下辺部４４，４５の対向外辺部５０，５１との間に、遊動間隙Ｃ，Ｄを設定している。前記選別棚６が掻出羽根２２の回転移動によって揺動されるとき、ピアノ線２７の回動、及び摺動が行われ易く、流下選別中の穀粒の目詰りをなくして、流下、漏下等を円滑に行わせる。
【図面の簡単な説明】
【００２３】
【図１】小米シュータ部の正面図と、その一部の平面図。
【図２】選別機の正面図。
【図３】選別機の断面図。
【図４】選別機の全体背面図。
【図５】選別機の全体側面図。
【図６】中米受樋部の正断面図、及び一部の拡大断面図。
【図７】その平面図。
【図８】掻出羽根部の作用状態を示す正面図と、側面図。
【図９】選別棚部の支架構成例を示す底面図。
【図１０】選別棚部の構成例を示す平面図と側面図、及び一部の拡大断面図。
【符号の説明】
【００２４】
１    昇穀螺旋
２    選別筒
６    選別棚
２０  受樋
２２  掻出羽根
２５  排出口
４０  上端部
４２  係合部
【図１】
0005035629.tif 000002
【図２】
0005035629.tif 000003
【図３】
0005035629.tif 000004
【図４】
0005035629.tif 000005
【図５】
0005035629.tif 000006
【図６】
0005035629.tif 000007
【図７】
0005035629.tif 000008
【図８】
0005035629.tif 000009
【図９】
0005035629.tif 000010
【図１０】
0005035629.tif 000011